(57)【要約】【課題】コンパクトで、電動で確実に操作することができるパネル用２軸できるヒンジを提供する。【解決手段】パネル用２軸ヒンジは、支持手段に固定される固定フレームと、該固定フレームの第１出力軸に取付支持されている左右方向回動フレームと、該左右方向回動フレームの第２出力軸に取付支持されると共にパネルに取り付けられる上下方向回動フレームから構成され、上記固定フレームおよび／または左右方向回動フレーム内に遊星ギヤ減速手段を収納し、電動モータにより駆動する。【選択図】        図３
2006329310.tif 000002
【特許請求の範囲】
【請求項１】
支持手段に固定される固定フレームと、該固定フレームの第１出力軸に取付支持されている左右方向回動フレームと、該左右方向回動フレームの第２出力軸に取付支持されると共にパネルに取り付けられる上下方向回動フレームから構成されことを特徴とするパネル用２軸ヒンジ。
【請求項２】
上記固定フレームおよび／または左右方向回動フレーム内に遊星ギヤ減速手段を収納し、上記第１出力軸あるいは第２出力軸が各遊星ギヤ減速手段の出力軸であることを特徴とする請求項１に記載のパネル用２軸ヒンジ。
【請求項３】
上記遊星ギヤ減速手段が電動モータにより駆動されることを特徴とする請求項２に記載のパネル用２軸ヒンジ。
【請求項４】
上記遊星ギヤ減速手段が、回転軸に固定されるリングギヤと、該リングギヤに形成されている内歯に転動するように噛み合っていると共に、上記回転軸に偏芯かつ自由に回転するように取り付けられている遊星ギヤと、該遊星ギヤの反対側に形成されている内歯に転動するように噛み合っている継手ギヤと、から構成されることを特徴とする請求項２または３に記載のパネル用２軸ヒンジ。
【請求項５】
複数の遊星ギヤ減速手段が直列に組み付けられていることを特徴とする請求項３または４に記載のパネル用２軸ヒンジ。
【請求項６】
上記固定フレームと上下方向回動フレームの間に、上記パネルに対するカウンターバネを張装することを特徴とする請求項１、２、３、４または５に記載のパネル用２軸ヒンジ。
【請求項７】
上記電動モータを遠隔操作することを特徴とする請求項１、２、３、４、５または６に記載のパネル用２軸ヒンジ。
【発明の詳細な説明】
【技術分野】
【０００１】
本発明は、大型液晶テレビなどのパネルを上下左右方向に傾動させるための、パネル用２軸ヒンジに関するものである。
【背景技術】
【０００２】
従来のパネル用２軸ヒンジとしては、ディスプレイパネルを支持する支持部材および該支持部材とディスプレイパネルとを回転可能に連結する一対の連結部材を備えた、仰角を調節すべくディスプレイパネルを上下方向に傾動する第１装置と、ディスプレイパネルを駆動させる駆動要素及び該駆動要素からの動力をディスプレイパネルへ伝達する動力伝達ユニットを備えた、方位を調節すべくディスプレイパネルを左右方向に傾動する第２装置から成るディスプレイパネルの傾斜角調節装置があった。（例えば、特許文献１参照）
【０００３】
しかし、上記従来のディスプレイパネルの傾斜角調節装置は、大型で場所をとり、電動で確実に傾動操作ができないという問題点があった。
【特許文献１】特開平０９−１３８６５４号公報
【発明の開示】
【発明が解決しようとする課題】
【０００４】
本発明が解決しようとする課題は、コンパクトで、電動で確実に操作することができるパネル用２軸できるヒンジを提供することにある。
【課題を解決するための手段】
【０００５】
本発明のパネル用２軸ヒンジは、支持手段に固定される固定フレームと、該固定フレームの第１出力軸に取付支持されている左右方向回動フレームと、該左右方向回動フレームの第２出力軸に取付支持されると共にパネルに取り付けられる上下方向回動フレームから構成されことを特徴とする。また、上記固定フレームおよび／または左右方向回動フレーム内に遊星ギヤ減速手段を収納し、上記第１出力軸あるいは第２出力軸が各遊星ギヤ減速手段の出力軸であることを特徴とする。さらに、上記遊星ギヤ減速手段が電動モータにより駆動されることを特徴とする。また更に、上記遊星ギヤ減速手段が、回転軸に固定されるリングギヤと、該リングギヤに形成されている内歯に転動するように噛み合っていると共に、上記回転軸に偏芯かつ自由に回転するように取り付けられている遊星ギヤと、該遊星ギヤの反対側に形成されている内歯に転動するように噛み合っている継手ギヤと、から構成されることを特徴とする。更にまた、複数の遊星ギヤ減速手段が直列に組み付けられていることを特徴とする。また、上記固定フレームと上下方向回動フレームの間に、上記パネルに対するカウンターバネを張装することを特徴とする。また、上記電動モータを遠隔操作することを特徴とする。
【発明の効果】
【０００６】
本発明のパネル用２軸ヒンジは、全体としてコンパクトに構成することができ、また、電動により確実かつ迅速に傾動操作をすることがという利点がある。
【発明を実施するための最良の形態】
【０００７】
図１は、液晶テレビなどのパネルＰを、左右方向並びに上下方向に首振自在に支持するパネル用２軸ヒンジＨの斜視図であって、図２および図３（Ａ）（Ｂ）からも明らかなように、該パネル用２軸ヒンジＨは、主として、適当な支持手段（図示せず）に固定されるコ字状の固定フレーム１と、該固定フレーム１の第１出力軸２に取付支持されているコ字状の左右方向回動フレーム３と、該左右方向回動フレーム３の第２出力軸４に取付支持されているコ字状の上下方向回動フレーム５から構成される。該上下方向回動フレーム５にパネルＰが取り付けられる。
【０００８】
上記固定フレーム１内には、図４に示すような、電動モータ６および遊星ギヤ式減速手段７が納められている。本実施例では、電動モータ６と遊星ギヤ式減速手段７は並列に配置されていて、ベルト伝動手段により伝動させているが、直列に配列させてもよい。図５からも明らかなように、遊星ギヤ式減速手段７は、第１遊星機構７ａと第２遊星機構７ｂと第３遊星機構７ｃから構成されている。第１遊星機構７ａは、回転軸７ａ−１とリングギヤ７ａ−２と遊星ギヤ７ａ−３と継手ギヤ７ａ−４から構成されている。
【０００９】
図６から明らかなように、上記回転軸７ａ−１には上記リングギヤ７ａ−２が固定されている。該リングギヤ７ａ−２には内歯が形成されていて、上記遊星ギヤ７ａ−３が転動するように噛み合っている。該遊星ギヤ７ａ−３は、上記回転軸７ａ−１に偏芯かつ自由に回転するように取り付けられている。該遊星ギヤ７ａ−３の反対側には内歯が形成されていて、上記継手ギヤ７ａ−４が転動するように噛み合っている。
【００１０】
また、第２遊星機構７ｂは、回転軸７ｂ−１とリングギヤ７ｂ−２と遊星ギヤ７ｂ−３と継手ギヤ７ｂ−４から構成されている。さらに、第３遊星機構７ｃは、回転軸７ｃ−１とリングギヤ７ｃ−２と遊星ギヤ７ｃ−３と継手ギヤ７ｃ−４から構成されている。これらの第２遊星機構７ｂおよび第３遊星機構７ｃも上記第１遊星機構７ａと同様の構成および機能を有する。なお、上記第１遊星機構７ａの最後の継手ギヤ７ａ−４は、上記第２遊星機構７ｂの回転軸７ｂ−１に連結されている。同様に、上記第２遊星機構７ｂの最後の継手ギヤ７ｂ−４は、上記第３遊星機構７ｃの回転軸７ｃ−１に連結されている。
上記第３遊星機構７ｃの継手ギヤ７ｃ−４は、上記回転フレーム３に連結固定されている。
【００１１】
図３および図６からも明らかなように、上記回転フレーム３内には、電動モータ８および遊星ギヤ式減速手段９が納められている。該遊星ギヤ式減速手段９は、上記遊星ギヤ式減速手段７と同じ構成および機能を有する。遊星ギヤ式減速手段９の継手ギヤは上記傾動フレーム５に連結されていて、該傾動フレーム５を上下方向に回動させる。
【００１２】
次に、上記実施例のヒンジＨの作用について説明する。
まず、電動モータ６を回転させると、伝動ベルト１０を介して、上記回転軸７ａ−１およびリングギヤ７ａ−２を回転駆動する。リングギヤ７ａ−２が回転すると、遊星ギヤ７ａ−３が転動し、逆方向に減速されて回転する。この遊星ギヤ７ａ−３の減速回転は、継手ギヤ７ａ−４を介して、第２遊星機構７ｂの回転軸７ｂ−１を回転駆動させる。同様にして、第２遊星機構７ｂおよび第３遊星機構７ｃにより、回転は、順次減速され、回転フレーム３をゆっくり回動させる。電動モータ６の回転方向を変えると、回転フレーム３は逆方向に回動する。
【００１３】
一方、遊星ギヤ式減速手段９も上記遊星ギヤ式減速手段７と同じ構成および機能を有するので、電動モータ８を稼働させることにより、上記傾動フレーム５を上下方向に回動させることができる。
【００１４】
図１に点線で示すように、上記パネル用２軸ヒンジＨをスタンドＳなどの支持手段に取り付けて、上下に高さを調節できるようにしてもよい。また、リモコンＲなどにより、上記電動モータ６、８を遠隔操作できるようにしてもよい。
【００１５】
図１、２において、１０はカウンターバネであって、上記パネルＰの重量に対するバウンターバランスを取るようになっている。また、上記遊星ギヤ式減速手段７、９は、パネルＰを手動で強制的に傾動させても、その力が電動モータ６、８に影響しないように逃がすようになっている。
【産業上の利用可能性】
【００１６】
上記実施例では大型液晶テレビなどのパネルＰを傾動させるようにしたが、本発明におけるパネルの概念は、情報を表面的に又は立体的に表示し、看者の要望に応じて向きを変える必要のあるものであれば平板状のパネルに限定するものではない。
【図面の簡単な説明】
【００１７】
【図１】パネルを取り付けたパネル用２軸ヒンジの一実施例を示す外観図である。
【図２】パネル用２軸ヒンジを斜め下方から見た拡大斜視図である。
【図３】図２のヒンジの正面図（Ａ）および側面図（Ｂ）である。
【図４】電動モータおよび遊星ギヤ式減速手段の説明斜視図である。
【図５】図４の遊星ギヤ式減速手段の分解斜視図である。
【図６】図５の遊星ギヤ式減速手段の組み付け状態の断面図である。
【符号の説明】
【００１８】
１    固定フレーム
２    第１出力軸
３    左右方向回動フレーム
４    第２出力軸
５    上下方向回動フレーム
６    電動モータ
７    遊星ギヤ式減速手段
７ａ  第１遊星機構
７ａ−１  回転軸
７ａ−２  リングギヤ
７ａ−３  遊星ギヤ
７ａ−４  継手ギヤ
７ｂ  第２遊星機構
７ｂ−１  回転軸
７ｂ−２  リングギヤ
７ｂ−３  遊星ギヤ
７ｂ−４  継手ギヤ
７ｃ  第３遊星機構
７ｃ−１  回転軸
７ｃ−２  リングギヤ
７ｃ−３  遊星ギヤ
７ｃ−４  継手ギヤ
８    電動モータ
９    遊星ギヤ式減速手段
１０    カウンターバネ
Ｈ    パネル用２軸ヒンジ
Ｐ    パネル
Ｒ    リモコン
Ｓ    スタンド
【図１】
2006329310.tif 000003
【図２】
2006329310.tif 000004
【図３】
2006329310.tif 000005
【図４】
2006329310.tif 000006
【図５】
2006329310.tif 000007
【図６】
2006329310.tif 000008